(57)【要約】【課題】ＩＣチップを提供する。【解決手段】本考案は、略長方形であるチップベース（１０）と、該チップベース（１０）の一側に設けられるメモリー端子部（１１）と、該チップベース（１０）の他側に設けられる接触端子部（１２）とを備えることを特徴とするものである。これにより、スマートカードとメモリーカードのチップ効果を有するとともに、アンテナを有する携帯電話などの電子装置に使用すると、情報の伝送を行うことができ、非常に便利である。【選択図】図１
0003149395.tif 000002
【実用新案登録請求の範囲】
【請求項１】
長方形であるチップベースと、該チップベースの一側に設けられるメモリー端子部と、該チップベースの他側に設けられる接触端子部とを備えることを特徴とするＩＣチップ。
【請求項２】
前記チップベースに更に該接触端子部の同側に設けられる第１外部接続用端子部を有することを特徴とする請求項１に記載のＩＣチップ。
【請求項３】
前記チップベースに更に該接触端子部の同側に設けられる第２外部接続用端子部を有することを特徴とする請求項１に記載のＩＣチップ。
【請求項４】
前記チップベースに更に該接触端子部の同側に設けられる第１外部接続用端子部と第２外部接続用端子部を有することを特徴とする請求項１に記載のＩＣチップ。
【請求項５】
前記該メモリー端子部は、該チップベースの一側に並列して設けられる八つの端子を有することを特徴とする請求項１乃至４の何れか１項に記載のＩＣチップ。
【請求項６】
前記接触端子部は、接触式チップの端子と対応する端子を有することを特徴とする請求項５に記載のＩＣチップ。
【請求項７】
前記接触端子部は、接触式チップの端子と対応する五つの並列の端子を有することを特徴とする請求項５に記載のＩＣチップ。
【考案の詳細な説明】
【技術分野】
【０００１】
本考案は、特にスマートカード（smart  card）とメモリーカード（memory card）のチップ効果を有すると共に、アンテナを有する電子装置と配合すると、資料の伝送を行うことができるＩＣチップに関するものである。
【背景技術】
【０００２】
プラスチックカードは、既に従来のような紙を使用する商業行為や資料伝送に代わり、例えば、キャッシュカードは札の使用に代わり、メモリーカードは従来の紙で資料や図を記録することに代わり、用いられている。また、今のプラスチックカードに更にチップが設けられるので、プラスチックカードの使用範囲と能力は大幅に向上する。
【０００３】
チップを有するプラスチックカードは、二種類があり、１つは、使用者の資料を記載することにより商業行為を行うスマートカード（例えばキャッシュカード）であり、２つは、メモリーカード（例えばデジカメや携帯電話に用いられるメモリーカード）である。又、従来のチップ付きスマートカードは、二種類があり、１つは、接触式チップ付きスマートカード（例えばキャッシュカード）であり、２つは、感応式チップ付きスマートカード（例えばＳｕｉｃａ定期乗車券）である。
【０００４】
図３に示すように、従来の接触式チップ付きスマートカードは、カード本体（３０）を有し、該カード本体（３０）の所定位置にチップ（３１）が設けられ、該チップ（３１）に互い対向するように複数の端子（３２）が設置され、該端子（３２）は夫々Ｖｃｃ/Ｖｓｓ（電源端子）、ＩＯ（スマートカード信号端子）、ＣＬＫ（振動周波信号端子）、ＲＳＴ（回復信号端子）、ＬＡ/ＬＢ（非接触式アンテナ端子）及びＮＣ（効用なし）であり、しかし、このようなチップ（３１）の端子（３２）は、電子装置（例えば預金機）の内部に設けられる端子と接触することで資料の伝送を行うことができるため、遠距離で資料伝送の功能を有しない。
【考案の概要】
【考案が解決しようとする課題】
【０００５】
図４に示すように、従来の感応式チップ付きスマートカードは、カード本体（４０）と、該カード本体（４０）に設けられるチップ（４１）と、該チップ（４１）と接続するように該カード本体（４０）に設置されるリング状アンテナ（４２）と、該チップ（４１）とアンテナ（４２）を包覆するように該カード本体（４０）と一体に粘着されるカバープレート（４３）とを有する。
【０００６】
該感応式チップ付きスマートカードにおけるチップ（４１）は、電子装置と接触せずに、アンテナ（４２）によって資料を伝送することができるが、この構造のスマートカードは、アンテナ（４２）の設置が必要となるため、製造コストを増加してしまうという問題がある。更に、前記のチップの記憶容量は大きくないため、更に改良する必要がある。
【０００７】
そこで、案出されたのが本考案であって、スマートカード（smart  card）とメモリーカード（memory card）のチップ効果を有すると共に、アンテナを有する電子装置と配合すると、資料の伝送を行うことができるＩＣチップの端子構造を提供することを目的としている。
【課題を解決するための手段】
【０００８】
本願の請求項１の考案は、略長方形であるチップベースと、該チップベースの一側に設けられるメモリー端子部と、該チップベースの他側に設けられる接触端子部とを備えることを特徴とするＩＣチップ、を提供する。
【０００９】
本願の請求項２の考案は、前記チップベースに更に該接触端子部の同側に設けられる第１外部接続用端子部を有することを特徴とする請求項１に記載のＩＣチップを提供する。
【００１０】
本願の請求項３の考案は、前記チップベースに更に該接触端子部の同側に設けられる第２外部接続用端子部を有することを特徴とする請求項１に記載のＩＣチップを提供する。
【００１１】
本願の請求項４の考案は、前記チップベースに更に該接触端子部の同側に設けられる第１外部接続用端子部と第２外部接続用端子部を有することを特徴とする請求項１に記載のＩＣチップを提供する。
【００１２】
本願の請求項５の考案は、前記該メモリー端子部は、該チップベースの一側に並列して設けられる八つの端子を有することを特徴とする請求項１乃至４の何れか１項に記載のＩＣチップを提供する。
【００１３】
本願の請求項６の考案は、前記接触端子部は、接触式チップの端子と対応する端子を有することを特徴とする請求項５に記載のＩＣチップを提供する。
【００１４】
本願の請求項７の考案は、前記接触端子部は、接触式チップの端子と対応する五つの並列の端子を有することを特徴とする請求項５に記載のＩＣチップを提供する。
【考案の効果】
【００１５】
本考案は上記の課題を解決するものであり、チップベースに接触端子、記憶端子及びアンテナ端子が設けられることにより、従来のスマートカード及びメモリーカードのように二重効果を達成することができ、更に、該アンテナ端子を有するので、アンテナを有する電子装置（例えば、携帯電話）に使用すると、該電子装置のアンテナによって資料を伝送することができ、非常に便利である。
【図面の簡単な説明】
【００１６】
【図１】本考案に係るＩＣチップの第１実施例を示す斜視図である。
【図２】本考案に係るＩＣチップの第２実施例を示す斜視図である。
【図３】従来の接触式チップ付きスマートカードの分解斜視図である。
【図４】従来の感応式チップ付きスマートカードの分解斜視図である。
【考案を実施するための形態】
【００１７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１８】
図１は、本考案に係るＩＣチップの第１実施例を示す斜視図であり、図２は、本考案に係るＩＣチップの第２実施例を示す斜視図である。
【００１９】
図１に示すように、本考案に係わるＩＣチップの第１実施例は、略長方形であるチップベース（１０）と、該チップベース（１０）の一側に並列して設けられる八つの端子を有するメモリー端子部（１１）と、該チップベース（１０）の他側に設けられると共に、接触式チップの端子と対応する端子を有する接触端子部（１２）とを備える。
【００２０】
このような構造により、本考案に係わるＩＣチップは、メモリーカードとスマートカードの功能を結合することができ、該接触端子部（１２）は、従来のスマートカードにおけるチップと等しい功能を提供することができ、該メモリー端子部（１１）は、従来のメモリーカードにおけるチップと等しい功能を提供することができる。
【００２１】
図２に示すように、本考案に係わるＩＣチップの第２実施例は、略長方形であるチップベース（１０）と、該チップベース（１０）の一側に並列して設けられる八つの端子を有するメモリー端子部（１１）と、該チップベース（１０）の他側に設けられると共に、接触式チップの端子と対応する五つの端子を有する接触端子部（１２）と、該接触端子部（１２）の同側に設けられることにより外部アンテナと接続される第１外部接続用端子部（１３）と、該接触端子部（１２）の同側に設けられることによりアンテナを有する何れかの電子装置（例えば携帯電話）と接続される第２外部接続用端子部（１４）と、を備える。本実施例において、該第２外部接続用端子部（１４）は、メモリー端子部（１１）と接触端子部（１２）との間に設けられる二つの端子構造である。
【００２２】
このような構造により、本考案に係わるＩＣチップは、メモリーカードとスマートカードの功能を結合できるだけではなく、外部アンテナと接続することにより、感応式チップ付きスマートカードのような功能も有し、更にアンテナを有する何れかの電子装置（例えば携帯電話）と接続することもできるので、無線感応の効能を図ることができる。
【００２３】
又、本考案に係わるＩＣチップのチップベース（１０）は、現有の何れかのカードと結合して市販のようなスマートカードに製造することができるが、該チップベース（１０）をデジカメや携帯電話のミニメモリーカードとして使用することもできるので、使用上非常に便利である。
【産業上の利用可能性】
【００２４】
本考案は上記の構成を有するので、チップベースに接触端子、記憶端子及びアンテナ端子が設けられることにより、従来のスマートカード及びメモリーカードのように二重効果を達成することができ、更に、該アンテナ端子を有するので、アンテナを有する電子装置に使用すると、該電子装置のアンテナによって資料を伝送することができ、非常に便利である。
【符号の説明】
【００２５】
１０        チップベース
１１        メモリー端子部
１２        接触端子部
１３        第１外部接続用端子部
１４        第２外部接続用端子部
３０        カード本体
３１        チップ
３２        端子
４０        カード本体
４１        チップ
４２        アンテナ
４３        カバープレート
【図１】
0003149395.tif 000003
【図２】
0003149395.tif 000004
【図３】
0003149395.tif 000005
【図４】
0003149395.tif 000006